(57)【要約】【課題】  紙葉類処理装置の取出装置、集積装置又は施封装置で共通に使用できるマルチカセットを使用することによりセキュリティを向上し、かつ操作性を改善する紙葉類処理装置を提供する。【解決手段】  マルチカセット１２は、扉１２４ｂ、ドア１２２ａ、バックアッププレート１２３及びその滑止め機構、及びバネ１２５が本体１２ａに備えられている。また、供給台１１には第1のキースイッチ１２６ａ及び第２のキースイッチ１２６ｂが備えられている。これらのキースイッチ１２６ａ及び１２６ｂをオフすることによって扉１２４ｂ、ドア１２２ａ及び滑止め機構のロックが解除される。処理を開始すると、扉１２４ｂが開き、バックアッププレート１２３がバネ１２５によって紙葉類Ｐを紙葉類取出口１２２ｂ側に引っ張られ、紙葉類Ｐが取出しローラ３０側に押圧され、取出しローラ３０が回転すると１回転に１枚ずつ紙葉類Ｐが取出される。【選択図】  図２
2007286920.tif 000002
【特許請求の範囲】
【請求項１】
紙葉類を受け付ける前処理手段と、この前処理手段によって受け付けられた前記紙葉類を処理する紙葉類処理装置と、を有する紙葉類処理システムであって、
前記前処理手段は、
前記紙葉類を収納して施錠又は開錠する施・開錠手段及び移動可能な取手を備えた紙葉類収納装置と、
この紙葉類収納装置をセットする専用の受付台と、
前記紙葉類収納装置を前専用の受付台にセットしたときに、前記紙葉類収納装置の施・開錠手段を開錠又は施錠可能な第1のセキュリティ手段と、を備え、
前記紙葉類処理装置は、
前記紙葉類収納装置をセットする供給台と、
この供給台に配置され、前記紙葉類収納装置の施・開錠手段を開錠又は施錠可能な第１のセキュリティ手段と、
この第２のセキュリティ手段によって前記紙葉類収納装置の施・開錠手段を開錠したとき、前記紙葉類収納装置に収納された前記紙葉類を、一定の間隔で１枚ずつ取り出して搬送し、前記紙葉類を判別する紙葉類判別手段と、
この紙葉類判別手段による判別の結果に基づいて前記紙葉類を券種ごとに区分して集積する集積手段又は施封する施封手段と、
前記集積手段で集積する前記紙葉類の集積庫又は前記施封手段で施封する紙葉類把の集積庫として用いる前記紙葉類収納装置と、
前記集積手段又は前記施封手段の施・開錠手段を開錠又は施錠可能な第２のセキュリティ手段と、を備えたことを特徴とする紙葉類処理システム。
【請求項２】
前記第１のセキュリティ手段は、
少なくとも２個のキースイッチを有し、この２個のキースイッチが共にオン状態にあるときに前記紙葉類収納装置の前記施・開錠手段が開錠し、共にオフ状態にあるとき前記施・開錠手段が施錠されることを特徴とする請求項１記載の紙葉類処理システム。
【請求項３】
前記第２のセキュリティ手段は、
前記集積手段又は前記施封手段による集積動作と連動して前記紙葉類収納装置の施・開錠手段を施錠又は開錠することを特徴とする請求項１記載の紙葉類処理システム。
【請求項４】
搬送される紙葉類を処理する紙葉類処理装置であって、
前記紙葉類を収納して施錠又は開錠する施・開錠手段及び移動可能な移動手段を備えた紙葉類収納装置と、
この紙葉類収納装置をセットする供給台と、
この供給台に配置され、前記紙葉類収納装置の施・開錠手段を開錠又は施錠可能な第１のセキュリティ手段と、
この第１のセキュリティ手段によって前記紙葉類収納装置の施・開錠手段を開錠したとき、前記紙葉類収納装置に収納された前記紙葉類を、一定の間隔で１枚ずつ取り出して搬送し、前記紙葉類を判別する紙葉類判別手段と、
この紙葉類判別手段による判別の結果に基づいて前記紙葉類を券種ごとに区分して集積する集積手段又は施封する施封手段と、
前記集積手段で集積する前記紙葉類の集積庫又は前記施封手段で施封する紙葉類把の集積庫として用いる前記紙葉類収納装置と、
前記集積手段又は前記施封手段の施・開錠手段を開錠又は施錠可能な第２のセキュリティ手段と、を備えたことを特徴とする紙葉類処理装置。
【請求項５】
前記第１のセキュリティ手段は、
少なくとも２個のキースイッチを有し、この２個のキースイッチが共にオン状態にあるときに前記紙葉類収納装置の前記施・開錠手段が開錠し、共にオフ状態にあるとき前記施・開錠手段が施錠されることを特徴とする請求項４記載の紙葉類処理装置。
【請求項６】
前記第２のセキュリティ手段は、
前記集積手段又は前記施封手段による集積動作と連動して前記紙葉類収納装置の施・開錠手段を施錠又は開錠することを特徴とする請求項４記載の紙葉類処理装置。
【請求項７】
持ち運び可能な取手を有する本体と、
この本体に収納され、前記紙葉類を立位状態で一括して投入する紙葉類投入口と、
この紙葉類投入口を開閉する第１の開閉手段と、
前記紙葉類投入口から投入された前記紙葉類を１枚ずつ取出す取出口と、
この取出口を開閉する第２の開閉手段と、
前記紙葉類投入口から投入された前記紙葉類の搬送方向後端に位置し、前記取出口方向に進退自在に移動可能な板状体と、
この板状体の滑り止め手段と、
前記板状体を前記取出口側に引っ張る引っ張り手段と、
前記第１の開閉手段及び前記第２の開閉手段を施錠又は開錠する手段と、
前記滑り止め手段による滑り止め機能をオン又はオフする手段と、
を備えたことを特徴とする紙葉類収納装置。
【発明の詳細な説明】
【技術分野】
【０００１】
本発明は、有価証券などの紙葉類を処理する紙葉類処理システムに関し、特に紙葉類の装填、供給及び装置内での集積に共通な紙葉類収納装置用いた紙葉類処理装置及び紙葉類収納装置に関する。
【背景技術】
【０００２】
有価証券などの紙葉類を処理する紙葉類処理装置は、一括して投入された紙葉類を一定間隔に１枚ずつ取り出して搬送し、紙葉類の判別装置によって当該紙葉類の種類（以下、券種と称する。）判別、搬送方向判別、真偽判別（真券か偽券か）及び正損判別（再流通可能な正券か再流通不可能な損券か）を行い、この判別結果に基づいて紙葉類を区分し、施封装置又は集積装置などの処理装置に振り分けて処理する装置である。
【０００３】
この紙葉類処理装置の処理は、３段階（前処理、装置処理及び排除券処理）に分けて行われている。
【０００４】
第１段階は、前処理段階で、紙葉類を紙葉類処理装置で処理する前の段階である。操作員が紙葉類を受け入れて、登録を行うフェーズである。操作員は、紙葉類の受け入れを受け入れ伝票を基に行い受け入れ紙葉類の塊（バッチ）の登録を行う。このようなバッチ処理を行う装置では、特に小口のバッチ処理を行う場合、バッチ処理の単位ごとに紙葉類の最後にバッチカード又はヘッダーカードと言われているカードを挿入して区分して処理するヘッダーカード処理（又はバッチ処理）といわれる方法がある。この方法では、例えば識別符号をバーコードで付与したヘッダーカードが用いられ、バッチの登録の際には、このヘッダーカードの読み込みと処理する紙葉類の登録を行う。このようにして登録された紙葉類は、従来ダンボールなどの持ち運び可能なマルチカセットに収納されて紙葉類処理装置を操作する操作員に引き渡されていた。
【０００５】
第２段階は、装置処理の段階で、第１段階で登録された紙葉類を紙葉類処理装置で処理する段階である。操作員は、引き渡されたマルチカセットの中の紙葉類及びヘッダーカード（以下、紙葉類及びヘッダーカードをまとめて媒体と称する。）を取り出して紙葉類処理装置の取出部にセットし、計数開始指令を発行すると、紙葉類処理装置は、セットされた紙葉類を一定間隔に１枚ずつ取り出して搬送し、紙葉類判別装置によって紙葉類の種類やヘッダーカードの検出を行い、集積装置に集積又は施封装置で施封される。従って、この処理は入金処理とも言われている。なお、この入金処理の結果、ヘッダーカード、偽券及び搬送異常などにより判別できなかった紙葉類は排除券集積部に集積される。
【０００６】
第３段階は、排除券処理の段階で、操作員が排除券を処理する段階である。操作員は、紙葉類処理装置から排除されたヘッダーカードに印字されている識別番号をキー入力するか又はヘッダーカードのバーコードを読み込ませる。排除券がある場合には、ヘッダーカードと共に排除された紙葉類の種類及び枚数などを入力する（例えば、特許文献１参照。）。
【特許文献１】特開２００２−３３４３６２号公報  （第５頁、図５）
【発明の開示】
【発明が解決しようとする課題】
【０００７】
しかしながら、従来の紙葉類処理装置では、上記各処理間の紙葉類の受け渡しは、ダンボールなどで構成した処理ボックスが使用されている。また、第２段階では、操作員が収納箱から紙葉類を取り出して紙葉類処理装置にセットする作業が行われているため、紙葉類に対して外部から容易にアクセス可能なことと、紙葉類を紙葉類処理装置で処理する際には、操作員が紙葉類を収納箱から取出してセットする必要があり操作が面倒であるという課題があった。
【０００８】
本発明は、上記問題を解決するためになされたもので、第１段階で使用する処理ボックスを、取出装置及び集積装置又は施封装置で使用できるようにしたマルチカセットを使用することにより、紙葉類処理装置のセキュリティを向上しかつ操作性を改善するマルチカセット及びそのマルチカセットを用いた紙葉類処理装置を提供することを目的とする。
【課題を解決するための手段】
【０００９】
上記目的を達成するために、本発明の請求項１記載の紙葉類の処理システムは、紙葉類を受け付ける前処理手段と、この前処理手段によって受け付けられた前記紙葉類を処理する紙葉類処理装置と、を有する紙葉類処理システムであって、前記前処理手段は、前記紙葉類を収納して施錠又は開錠する施・開錠手段及び移動可能な取手を備えた紙葉類収納装置と、この紙葉類収納装置をセットする専用の受付台と、前記紙葉類収納装置を前記専用の受付台にセットしたときに、前記紙葉類収納装置の施・開錠手段を開錠又は施錠可能な第１のセキュリティ手段と、を備え、前記紙葉類処理装置は、前記紙葉類収納装置をセットする供給台と、この供給台に配置され、前記紙葉類収納装置の施・開錠手段を開錠又は施錠可能な第１のセキュリティ手段と、この第１のセキュリティ手段によって前記紙葉類収納装置の施・開錠手段を開錠したとき、前記紙葉類収納装置に収納された前記紙葉類を、一定の間隔で１枚ずつ取り出して搬送し、前記紙葉類を判別する紙葉類判別手段と、この紙葉類判別手段による判別の結果に基づいて前記紙葉類を券種ごとに区分して集積する集積手段又は施封する施封手段と、前記集積手段で集積する前記紙葉類の集積庫又は前記施封手段で施封する紙葉類把の集積庫として用いる前記紙葉類収納装置と、前記集積手段又は前記施封手段の施・開錠手段を開錠又は施錠可能な第２のセキュリティ手段と、を備えたことを特徴とする。
【００１０】
また、本発明の請求項４記載の紙葉類処理装置は、搬送される紙葉類を処理する紙葉類処理装置であって、前記紙葉類を収納して施錠又は開錠する施・開錠手段及び移動可能な移動手段を備えた紙葉類収納装置と、この紙葉類収納装置をセットする供給台と、この供給台に配置され、前記紙葉類収納装置の施・開錠手段を開錠又は施錠可能な第１のセキュリティ手段と、この第１のセキュリティ手段によって前記紙葉類収納装置の施・開錠手段を開錠したとき、前記紙葉類収納装置に収納された前記紙葉類を、一定の間隔で１枚ずつ取り出して搬送し、前記紙葉類を判別する紙葉類判別手段と、この紙葉類判別手段による判別の結果に基づいて前記紙葉類を券種ごとに区分して集積する集積手段又は施封する施封手段と、前記集積手段で集積する前記紙葉類の集積庫又は前記施封手段で施封する紙葉類把の集積庫として用いる前記紙葉類収納装置と、前記集積手段又は前記施封手段の施・開錠手段を開錠又は施錠可能な第２のセキュリティ手段と、を備えたことを特徴とする。
【００１１】
さらに、請求項７記載の紙葉類の収納装置は、持ち運び可能な取手を有する本体と、この本体に収納され、前記紙葉類を立位状態で一括して投入する紙葉類投入口と、この紙葉類投入口を開閉する第１の開閉手段と、前記紙葉類投入口から投入された前記紙葉類を１枚ずつ取出す取出口と、この取出口を開閉する第２の開閉手段と、前記紙葉類投入口から投入された前記紙葉類の搬送方向後端に位置し、前記取出口方向に進退自在に移動可能な板状体と、この板状体の滑り止め手段と、前記板状体を前記取出口側に引っ張る引っ張り手段と、前記第１の開閉手段及び前記第２の開閉手段を施錠又は開錠する手段と、前記滑り止め手段による滑り止め機能をオン又はオフする手段と、を備えたことを特徴とする。
【発明の効果】
【００１２】
本発明によれば、第１段階で使用する処理ボックスを、取出装置及び集積装置又は施封装置で使用できるようにしたマルチカセットを使用することにより、紙葉類処理装置のセキュリティを向上しかつ操作性を改善できる。
【発明を実施するための最良の形態】
【００１３】
以下、図面を参照して本発明の実施例を説明する。
【実施例】
【００１４】
図１は、本発明の実施例による紙葉類収納装置としてのマルチカセットを用いた紙葉類処理装置１１０を備えた紙葉類処理システム図である。この紙葉類処理システム図には、紙葉類処理装置１１０、上位システムＤＢ（データベース）１００、前処理用情報登録ＰＣ（パーソナルコンピュータ）１２０及び排除券入力用情報登録ＰＣ１３０が設けられている。
【００１５】
前処理用情報登録ＰＣ１２０には、ハンドスキャナ１２１が接続されており、ヘッダーカードの登録処理が行われる。ヘッダーカードの登録処理とは、ヘッダーカードに印刷されているバーコードをハンドスキャナ１２１で読み取り、その読み取りデータを情報登録ＰＣ１２０から上位システムＤＢ１００に送信することである。このようにして登録されたヘッダーカード及び紙葉類からなる１バッチの紙葉類ＰＢをマルチカセット１２にセットする。この処理によって第１段階である前処理が終了する。このようにしてマルチカセット１２にセットされた１バッチの紙葉類ＰＢは、紙葉類処理装置１１０に供給される。
【００１６】
紙葉類処理装置１１０は、操作部５５０及び紙葉類処理機１で構成され、上位システムＤＢ１００に通信回線を経て接続されている。  
操作部５５０は、紙葉類処理機１で行う業務内容の指示、その指示された業務内容に基づく取引内容の指定、及び紙葉類処理機１での取引結果を入手し、その入手結果を上位システムＤＢに送信する。すなわち、紙葉類処理機１で読み取ったヘッダーカード番号および処理した計数金額を送信する。この処理によって第２段階である装置処理が終了する。
【００１７】
紙葉類処理機１は、操作部５５０に接続され、操作部５５０からの取引指示に基づいて、上記マルチカセットにセットされた紙葉類が供給される（詳細は、後述する。）。上記紙葉類処理機１によって紙葉類が１枚ずつ判別され、その判別結果に基づいて区分処理される。この紙葉類処理中に排除券が発生した場合、発生した排除券は、リジェクト集積部に、排除券（リジェクト券）、ヘッダーカードの順番に集積される。
【００１８】
排除券入力用登録ＰＣ１３０には、ハンドスキャナ１３１が接続されており、操作員によって上記リジェクト集積部に集積された排除券（リジェクト券）の入力処理が行われる。排除券は、ヘッダーカードに挟まれてリジェクト集積部に集積されている。操作員は、当該ヘッダーカードに印字されているバーコードをハンドスキャナ１３１で読み取る。読み取った結果は排除券入力用登録ＰＣ１３０の操作表示部１３２に表示される。また、排除券の供給元を示すアカウント番号、排除券の券種及び枚数からなる金額が排除券入力用登録ＰＣ１３０の操作表示部１３２又は入力部１３３から入力される。これら入力されたデータは、上位システムＤＢ１００に送信される。この処理によって第３段階である排除券処理が終了する。
【００１９】
図２は、図１に示す紙葉類処理装置１１０の概略構成図である。紙葉類処理装置１１０は、紙葉類処理機１及び操作部５５０で構成されている。
【００２０】
操作部５５０に接続された操作表示部５５２から操作員の操作によって、入金業務、整理業務などの取引方法の設定、処理した紙葉類Ｐを収納するマルチカセット１２を設定するカセットアサイン、及び紙葉類Ｐの正損レベル設定などが行われる。この設定の後、操作員が供給台１１にマルチカセット１２をセットする。操作部５５０から紙葉類処理機１による処理を開始すると、マルチカセット１２の紙葉類取出口のロックが解除されて開き、中にある紙葉類Ｐが押し出されてくる。この押し出された紙葉類Ｐは、取出しローラ３０によって１枚ずつ取り出されて搬送され、紙葉類判別装置１９によって当該紙葉類Ｐの券種判別、搬送方向判別、真偽判別及び正損判別並びにヘッダーカード（カード）の判別が行われる。この判別結果に基づいて当該紙葉類及びヘッダーカードは、集積又は施封される。詳細は後述する。
【００２１】
また、設定した業務の取引終了時には、各業務終了に伴う取引の区切り処理が行われる。さらに、１日の業務終了などの単位で取引計数を集計し、上位システムＤＢ１００に取引結果を通知するバランス処理が行われる。この上位システムＤＢ１００には、例えば、本実施例の紙葉類処理装置１１０が複数台接続され、各紙葉類処理装置１１０の稼動状況の把握や、各紙葉類処理装置１１０からの処理結果の集計を行うことができる。
【００２２】
入金業務とは、予め合計金額のわかっている複数券種の紙葉類Ｐを、紙葉類処理装置１１０を用いて、券種ごと、搬送方向ごと、正損ごとに区分し、紙葉類処理装置１１０で計数した金額が正しいことを確認し、上位システムＤＢ１００に登録する業務である。なお、この業務によって処理された紙葉類Ｐは、上述した集積装置５７〜６２にセットされた紙葉類収納装置としてのマルチカセット１２に集積され、又は施封部４で１００枚ごとに施封され紙葉類把（以下、把と称する。）が形成される。
【００２３】
整理業務とは、入金業務において上位システムＤＢ１００に計数を登録しない業務である。取引した券種を計数することが目的ではなく、一度入金業務などで計数を行った券種をさらに詳細に（例えば、表裏及び正損ごとに）集積装置５７〜６２の各マルチカセット１２に集積したり、施封を行ったりするために使用する。
【００２４】
カセットアサインとは、集積装置５７〜６２の各マルチカセット１２に収納する券種、及び施封部４で施封する券種を設定することである。
【００２５】
正損レベル設定とは、再流通可能な正券と再流通不可能な損券に区分する閾値である正損判別レベルを設定することである。詳細は後述するが、正損判別レベルの値が大きくなるほど損券枚数が多くなる。
【００２６】
取引の区切り処理とは、各取引終了後、例えば操作表示部５５２に設けられた完了ボタン（図示しない）が押下されたとき、上記集積装置５７〜６２に集積された紙葉類を各マルチカセット１２に収納する処理のことで、紙葉類が収納された各マルチカセット１２は、操作員によって空のマルチカセット１２と交換される。
【００２７】
ここで、紙葉類Ｐが搬送されるときの搬送方向について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送方向が形成される。
【００２８】
紙葉類処理機１は、マルチカセット１２をセットする供給部１０、この供給部１０に供給されたマルチカセット１２紙葉類取出口１２２ｂから紙葉類Ｐを取出す取出しローラ３０及びこの取出しローラ３０によって取出された紙葉類Ｐを搬送する搬送路１６を有している。また、この搬送路１６によって搬送される紙葉類Ｐの搬送状態を検出し補正を行う整列ユニット２１０が配置されている。さらに、この整列ユニット２１０によって搬送補正された紙葉類Ｐを１枚ずつ判別する紙葉類判別部１９、及び上記ヘッダーカードの識別符号であるバーコードを読み取る読取手段としてのバーコードリーダ７０が搬送路１６に沿って配置されている。
【００２９】
紙葉類判別部１９による紙葉類Ｐの判別結果、厚さ検知装置の検知結果及びバーコードリーダ７０の読取結果は、紙葉類処理装置１１０を制御する主制御部（制御手段）５００に送信される。
【００３０】
主制御部５００は、受信した判別結果に基づいて、後述する搬送制御部、施封制御部４００を制御する。搬送制御部は、紙葉類の搬送を制御するもので、分岐ゲートＧ１、Ｇ２、・・・Ｇ８、及び搬送方向を揃えるために反転する反転処理部を制御する。このようにして搬送方向の揃えられた紙葉類Ｐは、操作表示部５５２によって設定された区分方法に基づいて施封する施封部４で施封され、又は券種ごとに集積する集積部５０で集積される。
【００３１】
さらに、紙葉類処理機１はインターフェース５０１を介して操作部５５０に接続されている。以下、紙葉類処理機１の構成を紙葉類Ｐの供給部１０から順に説明する。
【００３２】
供給部１０は、供給台１１を有しており、マルチカセット１２をセットできるように構成されている。この供給台１１にマルチカセット１２をセットし、取出し開始釦（図示しない）をオンすると、マルチカセット１２の先端に設けられた紙葉類取出口１２２ｂのドア１２２ａが開き、マルチカセット１２のバックアッププレート１２３の滑止め機構であるラッチ機構が解除される。このラッチ機構の解除によって、バックアッププレート及び紙葉類Ｐは、バックアッププレート１２３の両側面に設けられたバネ１２５のバネ力によって紙葉類取出口１２２ｂ側に押圧される。すなわち、マルチカセット１２内の紙葉類Ｐは、取出しローラ３０に押圧された状態になる。
【００３３】
この状態において、取出しローラ３０が回転することにより一定間隔を有してマルチカセット１２に装填されている紙葉類Ｐの最先端の紙葉類Ｐから順に１枚ずつ取出される。
【００３４】
搬送路１６は、搬送面に対して対向するベルトで紙葉類Ｐを複数箇所挟持する。この搬送ベルトを掛け回した搬送ローラを駆動することによって紙葉類Ｐを搬送する。
【００３５】
分岐ゲートＧ１は、例えば、リジェクト券と、処理券とに振り分けるゲートである。リジェクト券とは、紙葉類判別部１９で紙葉類Ｐを判別した結果、紙葉類Ｐが偽券、又は折れ、破れ及びスキューなどにより判別のできない「判別不能券」と判別された紙葉類をいう。この判別結果を搬送制御部が受信すると、分岐ゲートＧ１を右側（時計方向）に回動することにより、当該リジェクト券を排除券集積部８０に集積する。ヘッダーカードは、リジェクト券として排除券集積部８０に集積される。
【００３６】
また、処理券とは、紙葉類判別部１９で判別された紙葉類Ｐが真券で正券、又は真券で損券をいう。搬送制御部は、その判別結果を受信すると、分岐ゲートＧ１を左側（反時計方向）に回動して、当該紙葉類を区分処理する。
【００３７】
反転処理部は、スイッチバック反転部（図示しない）及び表裏反転部９で構成され、紙葉類Ｐの取り揃える方向により上記スイッチバック反転部及び表裏反転部９の一方、若しくは両方が使用される。
【００３８】
分岐ゲートＧ２は、表裏反転分岐ゲートである。紙葉類判別部１９で判別された紙葉類Ｐの搬送方向の判別結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００３９】
表裏反転部９は、紙葉類判別部１９の券種判別及び搬送方向判別で判別された結果に基づき、紙葉類Ｐの搬送方向の表裏を取り揃えるために反転する。例えば搬送方向が裏正（ＢＦ）の場合、表裏反転部９によって表正ＦＦになる。
【００４０】
分岐ゲートＧ３は、搬送される紙葉類Ｐを搬送路１６から施封部４、又は集積部５０に分岐する分岐ゲートである。搬送される紙葉類Ｐが主制御部５００によって施封するように指定された券種の場合、搬送制御部は、分岐ゲートＧ３を右側（時計方向）に回動し、紙葉類Ｐを施封部４が設けられている図示矢印Ａ４０の方向に搬送する。また、それ以外の券種の紙葉類Ｐは、分岐ゲートＧ３から分岐ゲートＧ４〜Ｇ８を経由して集積装置５７〜６２に集積するように振り分けられる。
【００４１】
施封部４及び集積部５０には、紙葉類Ｐが搬送される搬送路から分離するために搬送路の終端に紙葉類Ｐを集積する集積装置として羽根車集積装置が設けられている。
【００４２】
この羽根車集積装置は、例えば、集積装置５７の場合、羽根車５７ａ、一時集積庫５７ｂ、シャッター５７ｃ、マルチカセット１２、及び集積を補佐するプッシャ（図示しない）などで構成される。
【００４３】
羽根車５７ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉類Ｐの運動エネルギーを吸収し、かつ紙葉類Ｐを整位しながら一時集積庫５７ｂに集積する。
【００４４】
一時集積庫５７ｂは、集積装置５７で使用される一時集積庫５７ｂと、施封部４の一時集積庫４２ｂとでは以降で処理する目的が異なるために形態が異なっている。
【００４５】
集積装置（集積手段）５７で使用される一時集積庫５７ｂには、シャッター５７ｃが備えられており、このシャッター５７ｃの上に紙葉類Ｐが集積される。そして、このシャッター５７ｃに集積された紙葉類Ｐは、例えば満杯になったとき、又は業務終了指示（図示しない）などがあると、シャッター５７ｃが開き、プッシャー５７ｃ下部に設けられた集積庫としてのマルチカセット１２に設けられたバックアッププレート１２３の上に落下する。このバックアッププレート１２３は、取出口１２２ｂ方向に進退自在に移動可能な板状体で構成されていり。このバックアッププレート１２３に落下した紙葉類Ｐは、プッシャーによってマルチカセット１２に押し込まれる。
【００４６】
マルチカセット１２は、上記一時集積庫同様に、業務中にマルチカセット１２に収納された紙葉類満杯又は操作部５５０からの指示によって、集積装置５７にセットされているマルチカセット１２の交換業務に入ることができる。
【００４７】
このマルチカセット１２の交換業務を説明する。紙葉類処理機１は、操作員による操作部５５０からの指示によりマルチカセット１２の第２のセキュリティ手段としての施・開錠手段を開錠する（ロックを解除する）ここでは、操作部５５０からの指示に基づいて電磁的方法によって開錠される。このロック解除とは、例えば集積装置５７のマルチカセット１２の場合、当該集積装置５７にマルチカセット１２を固定しているロックを解除することを意味する。
【００４８】
操作員は、ロック解除されたマルチカセット１２を集積装置５７から取外し、空のマルチカセット１２をセットする。この空のマルチカセット１２をセットすることによって、再度集積装置５７にマルチカセット１２がロックされる。
【００４９】
紙葉類の入っているマルチカセット１２は、紙葉類取出口１２２ｂ及び紙葉類投入口がマルチカセット１２の本体１２ａにロックされている。この紙葉類投入口のロックを解除するには独立した２個のキーによって行う（詳細は後述する。）。従って、押し込まれる紙葉類の枚数が増えるとバックアッププレート１２３は下側に移動する。以上の動作は、集積装置５７〜６２で共通である。
【００５０】
施封部４は、第１集積部４２、第２集積部４３、搬送部、紙帯部４６、帯送り部４７、帯巻部４８で構成される。本実施例では、施封部４が、上記第１集積部４２、第２集積部４３を有している場合を説明するが、必要に応じてこれら２個の集積部を対にして複数セット用いてもよい。
【００５１】
第１集積部４２及び第２集積部４３は、共に同様に構成されているため、第１集積部４２についてその構成を説明し第２集積部４３の説明を省略する。
【００５２】
第１集積部４２には、施封搬送路４０Ａから紙葉類を分岐する分岐ゲートＧ１２、振り分けられた紙葉類Ｐを搬送する搬送路４０Ｂ、搬送路４０Ｂの終端から送り出された紙葉類を受け取る羽根車４２ａ、この羽根車４２ａによって受け取られた紙葉類Ｐを集積する一時集積庫４２ｂ、集積された紙葉類Ｐを押圧するプッシャー（図示しない）が設けられている。以下、施封部４の各部構成について説明する。
【００５３】
一時集積庫４２ｂは、搬送される紙葉類Ｐを計数し１００枚に達すると、続けて搬送される紙葉類Ｐを一時集積庫４３ｂに集積させるために切り替えゲートＧ１２及びＧ１３を切り替える。その後、この一時集積庫４２ｂに集積された紙葉類の施封を行う。以下この施封動作を説明する。
【００５４】
一時集積庫４２ｂに集積された１００枚紙葉類は、搬送キャリア４４に渡される。搬送キャリア４４は、図示矢印で示す縦搬送及び横搬送され、帯巻部４８に１００枚紙葉類を渡す。
【００５５】
この搬送キャリア４４から渡された１００枚紙葉類は、紙帯部４６から供給された紙帯が帯送り部４７で送られ帯巻部４８に達すると、帯巻部４８はこの紙帯を用いて上記１００枚紙葉類の所定部位を帯巻きする。このようにして帯巻された１００枚紙葉類からなる把Ｈが形成される。
【００５６】
帯巻部４８で形成された把Ｈは、マルチカセット１２に収納される。このマルチカセット１２に収納される方法は、集積装置５７のマルチカセット１２に紙葉類Ｐを集積する方法と同様、シャッター６３ｃ及び紙葉類取出口１２２ｂの扉が開き、把Ｈをマルチカセット１２に入れ、その上から押込み棒で中に押込む。このようにして集積された把Ｈの様子を図２に示してある。
【００５７】
図３は、図２に示す紙葉類処理装置１１０を制御する主制御部５００、紙葉類判別部１９、搬送制御部２６、施封制御部４００、バーコードリーダ７０及び操作部５５０の接続状態を示すブロック図である。
【００５８】
主制御部５００は、操作部５５０の指示に基づいて、搬送される媒体の判別結果を紙葉類判別部１９から受信し、媒体を区分処理するために、搬送制御部２６、及び施封制御部４００を制御する。また、媒体判別結果を操作部５５０に送信する。
【００５９】
紙葉類判別部（判別手段）１９は、搬送される媒体の券種判別、搬送方向判別、真偽判別、正損判別、及び厚さ判別を行う。上記券種判別は、媒体表面の色又は模様又はその組み合わせ及び形状から紙葉類Ｐの券種又はヘッダーカードを判別する。
【００６０】
上記判別を行うために、複数のセンサ１〜ｎが設けられており、これらセンサ１〜ｎの出力信号を増幅する増幅回路１〜ｎ、及びこの増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から券種判別、真偽判別（本物か偽物か）、正損判別及びヘッダーカード判別が行われる。
【００６１】
紙葉類判別部１９の制御は、全体を制御するＣＰＵ２１、このＣＰＵ２１によってアクセスされる記憶部２５及びＣＰＵ２１で判別された結果を主制御部５００との間で通信するためのＩ／Ｆ部２２で構成される。
【００６２】
搬送制御部２６は、紙葉類判別部１９の判別結果により、搬送される紙葉類Ｐの行き先を決定して、紙葉類Ｐの搬送制御を行うＣＰＵ２７と、このＣＰＵ２７によってアクセスされる記憶部２９と、主制御部５００とのＩ／Ｆ部２８とで構成される。
【００６３】
主制御部５００は、主制御部５００を制御するＣＰＵ５０４、記憶部５０５、インターフェース部５０３を備えており、紙葉類判別部１９、搬送制御部２６、及び施封制御部４００に接続される。また、インターフェース５０１を介して操作表示部５５２と接続される。
【００６４】
ＣＰＵ５０４は、操作表示部５５２から操作員によって設定された入金業務、整理業務などの取引方法の設定、処理した紙葉類Ｐを収納する収納庫を設定するカセットアサインの設定、及び紙葉類の判別レベルである正損判別レベル設定などの情報を紙葉類判別部１９に送信する。また、紙葉類Ｐの判別結果を紙葉類判別部１９から受信し、操作部５５０に送信する。ここでは、取引の区切り処理が行われた際の取引計数が送信される。
【００６５】
図４は、本発明の紙葉類収納装置としてのマルチカセット１２を紙葉類処理機１の供給台１１にセットした状態の斜視図である。図４には、マルチカセット１２の構成が示されている。マルチカセット１２は、紙葉類処理機１で処理する紙葉類Ｐを投入又は処理した紙葉類Ｐを集積するカセットで、紙葉類の供給部１０、集積部５０及び施封部４で共通に利用できるように構成したものである。
【００６６】
このマルチカセット１２は、紙葉類Ｐをバッチ単位で投入可能な第１の開閉手段としての扉１２４ｂ及び取手１２４ｃを有する紙葉類投入口１２４ａ、紙葉類Ｐを取出すために開閉可能な第２の開閉手段としてのドア１２２ａを有する紙葉類取出口１２２ｂ、バックアッププレート１２３、バックアッププレート滑止め機構（ラッチ機構、図示しない）、バックアッププレート１２３を紙葉類取出口１２２ｂ側に引っ張る引っ張り手段としてのバネ１２５、１２５及びこれらを収納する本体１２ａを備えている。
【００６７】
なお、供給台１１には第１のセキュリティ手段としての第1のキースイッチ１２６ａ及び第２のキースイッチ１２６ｂが備えられている。この第１のキースイッチ１２６ａ及び第２のキースイッチ１２６ｂに連結された機構部により前記第１の開閉手段である扉１２４ｂ及び前記第２の開閉手段であるドア１２２ａが施錠又は開錠することができる。
【００６８】
上記のように構成されたマルチカセット１２を紙葉類処理機１の供給台１１にセットした場合の動作を説明する。
【００６９】
紙葉類処理機１の供給台１１にセットされた初期状態では、マルチカセット１２の中にはバッチ処理前の紙葉類Ｐがバックアッププレート１２３と紙葉類取出口１２２ｂの扉１２２ａの間に立位状態で積層されている。この状態では、バックアッププレートの滑止め機構（ラッチ機構）が解除されていないためバネ力によるバックアッププレート１２３に対する紙葉類取出口１２２ｂ方向の押圧力がかからない。
【００７０】
次に、装置の操作員が管理する第１のキースイッチ１２６ａ及びセキュリティ管理者が管理する第２のキースイッチ１２６ｂをオフ（マルチカセット１２に紙葉類Ｐが投入され、紙葉類処理機１にセットする前はキースイッチ１２６ａ、１２６ｂがオンになっている。）することによって紙葉類投入口１２４ａの扉１２４ｂのロック及び紙葉類取出口１２２ｂのドア１２２ａのロックが解除される。
【００７１】
次に、操作部５５１の取出し開始釦をオンし、紙葉類処理機１による処理を開始すると、扉１２２ａが開き、上記バックアッププレートの滑止め機構１２３のラッチが解除される。このラッチが解除されることによって、滑止め機構が働かなくなり、バックアッププレート１２３がバネ１２５、１２５によって紙葉類取出口１２２ｂ側に引っ張られる。なお、図には手前側のみバネ１２５、１２５が示されているが、反対側の側面にもバネ１２５、１２５が設けられているのは当然である。この結果、紙葉類Ｐは、バックアッププレート１２３に押し出され取出しローラ３０側に押圧される。紙葉類Ｐの取出しはこの押圧力と関連が深く、強すぎると紙葉類Ｐの２枚取りが発生したり、弱すぎると紙葉類Ｐを取り込まなかったりする場合があるため、事前に最適なバネ力が選択される。
【００７２】
この状態で取出しローラ３０が回転すると１回転に１枚ずつ紙葉類Ｐを取出す。取出された紙葉類Ｐがその後処理される様子はすでに説明した通りである。
【００７３】
図５は、第２段階である装置処理の集積装置５７〜６２又は施封集積装置６３にマルチカセット１２を用いた場合の動作を説明する図である。この場合には、マルチカセット１２の紙葉類取出口１２２ｂが上位に位置し、バックアッププレート１２３が下部に位置するように配置される。以下に、集積装置５７にマルチカセット１２を用いた場合を例に説明する。なお、施封装置６３にマルチカセット１２を用いた場合は、集積される媒体が紙葉類Ｐではなく、紙葉類把Ｈになるだけで、その他の動作は同様であるため、その説明を省略する。
【００７４】
上述したように、シャッター５７ｃの上に紙葉類Ｐが集積される。そして、このシャッター５７ｃに集積された紙葉類Ｐは、満杯又は業務指示によってシャッター５７ｃが図示矢印Ａ１０に示す方向に開く。この際同時に紙葉類取出口１２２ｂのドア１２２ａが図示矢印Ａ１１の方向に開く。この結果、シャッター５７ｃに集積された紙葉類Ｐは、マルチカセット１２のバックアッププレート１２３又は既に集積されている紙葉類Ｐの最上部の紙葉類Ｐの上に落下する。その後、プッシャー５７ｄが落下した紙葉類Ｐをマルチカセット１２の中に図示矢印Ａ１２の方向に押し込む。押し込んだ後、プッシャー５７ｄは上昇し初期位置に復帰する。
【００７５】
次に、このプッシャー５７ｄによる押し込み動作の詳細を説明する。バックアッププレート１２３は、初期状態ではマルチカセット１２内の上部にあり、その上に紙葉類Ｐが集積される。上記プッシャー５７ｄが起動したときには、この集積された紙葉類Ｐをマルチカセット１２の中の所定の位置に到達するまで所定量押し込む。この結果、集積された紙葉類Ｐの最上部の紙葉類Ｐがマルチカセット１２の紙葉類取出口１２２ｂから上にはみ出ない位置まで押し込まれる。この押し込みによってバックアッププレート１２３が降下する。こバックアッププレート１２３は長手方向の両側面に設けられた滑止め機構（ラッチ機構、図示しない）によってその押し込まれた位置が適度に保持される。この結果、一時集積庫に集積された紙葉類の厚さに応じてバックアッププレート１２３が降下する両が変動することになる。このようにしてマルチカセット１２に紙葉類が集積される。
【００７６】
図６は、本発明のマルチカセットを前処理に用いた場合の動作を説明する図である。本実施例では、空のマルチカセット１２を専用の受付台１２２にセットする。
【００７７】
次に、操作員が管理するキースイッチ１２２ａ及びセキュリティ管理者が管理するキースイッチ１２２ｂをオフする。この操作によって、マルチカセット１２の紙葉類投入口扉１２４ｂ及び紙葉類取出口１２２ｂのドア１２２ａをマルチカセット本体１２ａに固定しているロックが解除され、かつ、バックアッププレート１２３のラッチが解除される。この際のロックを解除する方法は、鍵を用いる場合のように機構的に解除する方法でも電磁ロックを電気的に解除する方法でもかまわないが、本実施例では、よく知られた方法によって機構的に解除する方法を用いている。
【００７８】
次に、取手１２４ｃを持ち上げて紙葉類投入口扉１２４ｂを開く。図はこの紙葉類投入口扉１２４ｂを開いた状態を示す。
【００７９】
次に、バッチ処理を行う紙葉類Ｐの登録を行う。この紙葉類Ｐが例えば紙幣の場合には、処理するバッチの金種、枚数、金額などの登録を情報登録ＰＣ１２０の操作画面から行う。また、このバッチ処理の単位ごとにヘッダーカードを発行し、この発行されたヘッダーカードをバーコードリーダ１２１で読取り、処理するバッチ処理の最後に挿入して１バッチ（以下、１バッチのことを処理する最小単位の意味でバッチと称する。）を形成する。
【００８０】
このようにして登録されたバッチを、紙葉類取出口１２２ｂとバックアッププレート１２３の間に挿入する。バックアッププレート１２３はラッチが解除されておりバネ１２５、１２５によって挿入した紙葉類Ｐは立位状態のまま紙葉類取出口１２２ｂ側に押圧され保持される。また、このようなバッチが複数ある場合には、マルチカセット１２に収納可能な範囲で同様に挿入することができる。
【００８１】
マルチカセット１２に対するバッチの挿入が完了したら、紙葉類投入口１２４を閉じ、キースイッチ１２２ａ及びキースイッチ１２２ｂをオンにすることによって、紙葉類投入口１２４及び紙葉類取出口ドア１２２ａが再度ロックされ、かつ、バックアッププレート１２３の滑止め機構（ラッチ）が機能するようになる。
【００８２】
以上の処理によって、マルチカセット１２に挿入された紙葉類Ｐはマルチカセット１２内部に保持され、持ち運び可能になる。この状態のマルチカセット１２は、鍵のかかった金庫同様であり、外部から容易に紙葉類Ｐにアクセスすることができない。以上の処理で前処理が終了する。持ち運ぶ際には取手１２４ｃをもって運ぶことができる。
【００８３】
なお、集積部５０に用いられたマルチカセット１２に集積された紙葉類Ｐを整理業務などで取り出す場合には、上述同様に、当該マルチカセット１２を専用の受付台１２２にセットし、キースイッチ１２２ａ、キースイッチ１２２ｂをオフすることにより、紙葉類投入口１２４ａを開き、紙葉類Ｐを取出すことができる。
【図面の簡単な説明】
【００８４】
【図１】本発明の実施例によるマルチカセットを用いた紙葉類処理装置を備えた紙葉類処理システムのシステム図。
【図２】紙葉類処理装置の概略構成図。
【図３】図２に示す紙葉類処理装置を制御する各部の接続状態を示すブロック図。
【図４】本発明のマルチカセットを紙葉類処理機の供給台にセットした状態の斜視図。
【図５】本発明のマルチカセットを集積装置に用いた場合の動作を説明する図。
【図６】本発明のマルチカセットを前処理に用いた場合の動作を説明する図。
【符号の説明】
【００８５】
Ｈ  １００枚紙葉類
Ｐ  紙葉類
Ｇ１〜Ｇ８  分岐ゲート
Ｇ１２〜Ｇ１４  分岐ゲート
１  紙葉類処理機
１０  供給部
１１  供給台
１２  マルチカセット
１２２ａ  紙葉類取出口
１２３  バックアッププレート
１２４  紙葉類投入口
１２５  バネ
１２６ａ、１２６ｂ  キースイッチ
１９  紙葉類判別装置
３０  取出しローラ
４  施封部
４２  第1集積部
４３  第2集積部
４２ｂ、４３ｂ  一時集積庫
４４  キャリア
４６  紙帯部
４７  帯送り部
４８  帯巻部
４２Ｆ  搬送キャリア
５０  集積部
５７〜６２  集積装置
５７ｃシャッター
５７Ｄ  プッシャー
６３  施封集積装置
４００  施封制御部
５００  主制御部
５５０  操作部
【図１】
2007286920.tif 000003
【図２】
2007286920.tif 000004
【図３】
2007286920.tif 000005
【図４】
2007286920.tif 000006
【図５】
2007286920.tif 000007
【図６】
2007286920.tif 000008